(57)【要約】【課題】  太陽電池ストリングにおいて、簡便かつ確実に太陽電池モジュールの並列接続を確認できるようにする。【解決手段】  太陽電池モジュール１０，２０，３０のプラス極とマイナス極からそれぞれ引き出された一方の電線路１３ｂ，１６ｂに第一の接続端子１５，１８を接続し、もう一方の電線路１３ａ，１６ａに第二の接続端子１４，１７を接続し、プラス極側の第一の接続端子１５を隣接する太陽電池モジュールのプラス極側の第二の接続端子と接続し、マイナス極側の第一の接続端子１８を隣接する太陽電池モジュールのマイナス極側の第二の接続端子と接続する。そして、この太陽電池ストリングの一端側のプラス極側の第二の接続端子と他端側のプラス極側の第一の接続端子との間、及び同一端側のマイナス極側の第二の接続端子と他端側のマイナス極側の第一の接続端子との間の導通を確認する。【選択図】  図１
2006222169.tif 000002
【特許請求の範囲】
【請求項１】
複数の太陽電池モジュールを並列に接続した太陽電池ストリングの配線確認方法において、
前記太陽電池モジュールのプラス極から二つの電線路を引き出し、引き出した一方の電線路にプラス極側の第一の接続端子を接続し、もう一方の電線路にプラス極側の第二の接続端子を接続するとともに、
前記太陽電池モジュールのマイナス極から二つの電線路を引き出し、引き出した一方の電線路にマイナス極側の第一の接続端子を接続し、もう一方の電線路にマイナス極側の第二の接続端子を接続し、
前記プラス極側の第一の接続端子を隣接する前記太陽電池モジュールの前記プラス極側の第二の接続端子と接続し、
前記マイナス極側の第一の接続端子を隣接する前記太陽電池モジュールの前記マイナス極側の第二の接続端子と接続することで、前記太陽電池ストリングを形成し、
前記太陽電池ストリングの一端側の前記プラス極側の第二の接続端子と他端側の前記プラス極側の第一の接続端子との間の導通、及び前記太陽電池ストリングの一端側の前記マイナス極側の第二の接続端子と他端側の前記マイナス極側の第一の接続端子との間の導通を確認することにより、前記複数の太陽電池モジュールの並列接続の配線を確認することを特徴とする太陽電池ストリングの配線確認方法。
【請求項２】
複数の太陽電池モジュールを並列に接続した太陽電池ストリングの配線確認方法において、
前記太陽電池モジュールにプラス極側とマイナス極側の二つの端子箱を設け、前記プラス極側の端子箱で前記太陽電池モジュールのプラス極と共通配線のプラス極側の芯線を接続し、前記マイナス極側の端子箱で前記太陽電池モジュールのマイナス極と前記共通配線のマイナス側の芯線を接続し、
前記プラス極側の端子箱の外側に、前記プラス極側の芯線と前記マイナス極側の芯線に接続されたプラス極側のコネクタを接続し、前記マイナス極側の端子箱の外側に、前記プラス極側の芯線と前記マイナス極側の芯線に接続されたマイナス極側のコネクタを接続し、
前記二つの端子箱の間を前記共通配線により接続した前記太陽電池モジュールの前記プラス極側のコネクタと前記マイナス極側のコネクタを極性が一致するように接続することで、前記太陽電池ストリングを形成し、
前記太陽電池ストリングの一端側の前記プラス極側のコネクタのプラス極と他端側の前記マイナス極側のコネクタのプラス極との間の導通、及び前記太陽電池ストリングの一端側の前記プラス極側のコネクタのマイナス極と他端側の前記マイナス極側のコネクタのマイナス極との間の導通を確認することにより、前記複数の太陽電池モジュールの並列接続の配線を確認することを特徴とする太陽電池ストリングの配線確認方法。
【請求項３】
複数の太陽電池モジュールを並列に接続した太陽電池ストリングの配線確認方法において、
前記太陽電池モジュールにプラス極側とマイナス極側の二つの端子箱を設け、前記プラス極側の端子箱で前記太陽電池モジュールのプラス極と共通配線のプラス極側の芯線を接続し、前記マイナス極側の端子箱で前記太陽電池モジュールのマイナス極と前記共通配線のマイナス側の芯線を接続し、
前記プラス極側の端子箱の外側に、前記プラス極側の芯線と前記マイナス極側の芯線に接続されたプラス極側のコネクタを接続し、前記マイナス極側の端子箱の外側に、前記プラス極側の芯線と前記マイナス極側の芯線に接続されたマイナス極側のコネクタを接続し、
前記二つの端子箱の間を前記共通配線により接続した前記太陽電池モジュールの前記プラス極側のコネクタと前記マイナス極側のコネクタを極性が一致するように接続することで、前記太陽電池ストリングを形成し、
前記太陽電池ストリングの一端側の前記プラス極側の端子あるいは前記コネクタのプラス極とアース線とを接続して、前記太陽電池ストリングの他端側の前記マイナス極側の端子あるいは前記コネクタのプラス極と前記アース線との間の導通を確認するとともに、前記太陽電池ストリングの一端側の前記プラス極側の端子あるいは前記コネクタのマイナス極と前記アース線とを接続して、前記太陽電池ストリングの他端側の前記マイナス極側の端子あるいは前記コネクタのマイナス極と前記アース線との間の導通を確認することにより、前記複数の太陽電池モジュールの並列接続の配線を確認することを特徴とする太陽電池ストリングの配線確認方法。
【請求項４】
プラス極から二つの電線路を引き出し、引き出した一方の電線路にプラス極側の第一の接続端子を接続し、もう一方の電線路にプラス極側の第二の接続端子を接続するとともに、マイナス極から二つの電線路を引き出し、引き出した一方の電線路にマイナス極側の第一の接続端子を接続し、もう一方の電線路にマイナス極側の第二の接続端子を接続した複数の太陽電池モジュールを有し、
前記太陽電池モジュールの前記プラス極側の第一の接続端子を隣接する前記太陽電池モジュールの前記プラス極側の第二の接続端子と接続し、
前記太陽電池モジュールの前記マイナス極側の第一の接続端子を隣接する前記太陽電池モジュールの前記マイナス極側の第二の接続端子と接続したことを特徴とする太陽電池ストリング。
【請求項５】
プラス極側とマイナス極側の二つの端子箱を設け、前記プラス極側の端子箱でプラス極と共通配線のプラス極側の芯線を接続し、前記マイナス極側の端子箱でマイナス極と前記共通配線のマイナス側の芯線を接続した複数の太陽電池モジュールを有し、
前記太陽電池モジュールのプラス極側の端子箱の外側に、前記プラス極側の芯線と前記マイナス極側の芯線に接続されたプラス極側のコネクタを接続し、前記太陽電池モジュールの前記マイナス極側の端子箱の外側に、前記プラス極側の芯線と前記マイナス極側の芯線に接続されたマイナス極側のコネクタを接続し、
前記二つの端子箱の間を前記共通配線により接続した前記太陽電池モジュールのプラス極側のコネクタとマイナス極側のコネクタを極性が一致するように接続したことを特徴とする太陽電池ストリング。
【発明の詳細な説明】
【技術分野】
【０００１】
本発明は、複数の太陽電池モジュールを並列に接続した太陽電池ストリングの配線確認方法及び太陽電池ストリングに関する。
【背景技術】
【０００２】
現在、開発、導入が進んでいる結晶系の太陽電池モジュールは、一般に出力電圧が低いため、複数の太陽電池モジュールを直列に接続してインバータに入力可能な所望の電圧を得ている。例えば、３０枚の単位太陽電池モジュールを接続して太陽電池アレイを構築する場合、６枚の単位太陽電池モジュールを直列接続して電圧が２００Ｖ以上ある太陽電池ストリングを形成し、各ストリング毎に所定位置の接続箱まで配線する構造が採用されている。太陽電池の出力電圧は、ある程度以上の日射量があれば日射量により大きく変化することはなく、屋外で太陽電池モジュールを直列接続して太陽電池ストリングを形成する場合でも、太陽電池モジュールを接続する毎に太陽電池ストリングの電圧が上昇するか否かを確認することで、配線接続の確認を容易に行うことができる。
【０００３】
一方、出力電流は小さいが出力電圧が２００Ｖを超え、インバータに直接接続可能な高い電圧を出力することができる単位太陽電池モジュールの場合や、複数のサブモジュールを直列接続してインバータに入力可能な出力電圧にした太陽電池モジュールの場合には、これらを並列接続して太陽電池ストリングを形成することができる。
【０００４】
このように、並列接続で太陽電池ストリングを形成する場合には、一部の太陽電池モジュールが接続されていなくても所定の出力電圧を発生するため、直列接続して太陽電池ストリングを形成する場合のように回路の電圧を測定することでは、正常に接続作業が行われたか否かを判定することができない。そこで、並列接続の場合には、回路の電流値を測定し、並列接続が進むに従って測定した電流値が増加するか否かで、接続が正常に行われたか否かの判定を行う。
【０００５】
しかし、実際の接続作業は屋外での作業であり、太陽光の強度は時間帯や気象条件などによって刻々と変化する。そして、太陽電池モジュールの短絡電流は太陽光の強度にほぼ比例して変化するため、並列接続作業を行っている間に太陽光の強度が大きく変化すると、並列接続数が増加しているにもかかわらず、測定した電流値が小さくなる現象が発生する可能性もあり、単に太陽電池モジュールを並列接続した回路の電流の絶対値を測定するだけでは並列接続作業が正常に行われたか否かを判定することは難しい。
【０００６】
そこで、施工面に設置された複数の太陽電池モジュールが正常に並列接続されていることを確認するために、並列接続される太陽電池モジュールと同じ太陽電池モジュールを基準太陽電池モジュールとして施工面に設置し、並列接続された太陽電池モジュールから出力された短絡電流が基準太陽電池モジュールから出力される短絡電流の何倍になっているかを確認することで、並列接続が正常に行われたか否かを判定することが提案されている（例えば特許文献１参照）。
【特許文献１】特開２００２−３２９８７５号公報
【発明の開示】
【発明が解決しようとする課題】
【０００７】
上記のような従来の太陽電池ストリングの配線確認方法では、並列接続する太陽電池モジュールと同じ太陽電池モジュールを基準太陽電池モジュールとして施工場所に持ち込み、並列接続作業を行う毎に基準太陽電池モジュールの短絡電流と施工した回路の短絡電流を比較することで、並列接続作業が正常に行われたか否かを判定しようとしている。この基準太陽電池モジュールは、並列接続作業が正常に行われたか否かを判定するために用いるものであり、並列接続する太陽電池モジュールとできる限り環境条件が一致するところに配置しなければ意味がない。
【０００８】
しかしながら、インバータに直接入力可能な出力電圧を持つ太陽電池モジュールは、一般的に寸法もかなり大きくなるため、並列接続する太陽電池モジュールと同じ大きさの基準太陽電池モジュールを太陽電池モジュールの設置作業が進行するのに伴って移動させて行くことは困難であり、現実的ではない。そこで、接続作業の邪魔にならないような、例えば屋根の端位置に基準太陽電池モジュールを配置しておいて並列接続作業を行うことも考えられるが、このような場合には、他の建物などでできる影の影響や周囲からの散乱光の影響などが微妙に異なり、適正な並列接続の確認を行うことができない問題がある。
【０００９】
本発明はこのような点に鑑みてなされたものであり、基準太陽電池モジュールを用いることなく、簡便かつ確実に太陽電池モジュールの並列接続を確認することができる太陽電池ストリングの配線確認方法及び太陽電池ストリングを提供することを目的とする。
【課題を解決するための手段】
【００１０】
本発明では上記課題を解決するために、複数の太陽電池モジュールを並列に接続した太陽電池ストリングの配線確認方法において、前記太陽電池モジュールのプラス極から二つの電線路を引き出し、引き出した一方の電線路にプラス極側の第一の接続端子を接続し、もう一方の電線路にプラス極側の第二の接続端子を接続するとともに、前記太陽電池モジュールのマイナス極から二つの電線路を引き出し、引き出した一方の電線路にマイナス極側の第一の接続端子を接続し、もう一方の電線路にマイナス極側の第二の接続端子を接続し、前記プラス極側の第一の接続端子を隣接する前記太陽電池モジュールの前記プラス極側の第二の接続端子と接続し、前記マイナス極側の第一の接続端子を隣接する前記太陽電池モジュールの前記マイナス極側の第二の接続端子と接続することで、前記太陽電池ストリングを形成し、前記太陽電池ストリングの一端側の前記プラス極側の第二の接続端子と他端側の前記プラス極側の第一の接続端子との間の導通、及び前記太陽電池ストリングの一端側の前記マイナス極側の第二の接続端子と他端側の前記マイナス極側の第一の接続端子との間の導通を確認することにより、前記複数の太陽電池モジュールの並列接続の配線を確認することを特徴とする太陽電池ストリングの配線確認方法が提供される。
【００１１】
このような太陽電池ストリングの配線確認方法によれば、太陽電池ストリングの一端側のプラス極側の第二の接続端子と他端側のプラス極側の第一の接続端子との間の導通、及び太陽電池ストリングの一端側のマイナス極側の第二の接続端子と他端側のマイナス極側の第一の接続端子との間の導通を確認することにより、複数の太陽電池モジュールの並列接続の配線を確認することができ、基準太陽電池モジュールを用いることなく、簡便かつ確実に太陽電池モジュールの並列接続を確認することができる。
【００１２】
また、本発明では上記課題を解決するために、複数の太陽電池モジュールを並列に接続した太陽電池ストリングの配線確認方法において、前記太陽電池モジュールにプラス極側とマイナス極側の二つの端子箱を設け、前記プラス極側の端子箱で前記太陽電池モジュールのプラス極と共通配線のプラス極側の芯線を接続し、前記マイナス極側の端子箱で前記太陽電池モジュールのマイナス極と前記共通配線のマイナス側の芯線を接続し、前記プラス極側の端子箱の外側に、前記プラス極側の芯線と前記マイナス極側の芯線に接続されたプラス極側のコネクタを接続し、前記マイナス極側の端子箱の外側に、前記プラス極側の芯線と前記マイナス極側の芯線に接続されたマイナス極側のコネクタを接続し、前記二つの端子箱の間を前記共通配線により接続した前記太陽電池モジュールの前記プラス極側のコネクタと前記マイナス極側のコネクタを極性が一致するように接続することで、前記太陽電池ストリングを形成し、前記太陽電池ストリングの一端側の前記プラス極側のコネクタのプラス極と他端側の前記マイナス極側のコネクタのプラス極との間の導通、及び前記太陽電池ストリングの一端側の前記プラス極側のコネクタのマイナス極と他端側の前記マイナス極側のコネクタのマイナス極との間の導通を確認することにより、前記複数の太陽電池モジュールの並列接続の配線を確認することを特徴とする太陽電池ストリングの配線確認方法が提供される。
【００１３】
このような太陽電池ストリングの配線確認方法によれば、太陽電池ストリングの一端側のプラス極側のコネクタのプラス極と他端側のマイナス極側のコネクタのプラス極との間の導通、及び太陽電池ストリングの一端側のプラス極側のコネクタのマイナス極と他端側のマイナス極側のコネクタのマイナス極との間の導通を確認することにより、複数の太陽電池モジュールの並列接続の配線を確認することができ、基準太陽電池モジュールを用いることなく、簡便かつ確実に太陽電池モジュールの並列接続を確認することができる。
【００１４】
また、本発明では上記課題を解決するために、複数の太陽電池モジュールを並列に接続した太陽電池ストリングの配線確認方法において、前記太陽電池モジュールにプラス極側とマイナス極側の二つの端子箱を設け、前記プラス極側の端子箱で前記太陽電池モジュールのプラス極と共通配線のプラス極側の芯線を接続し、前記マイナス極側の端子箱で前記太陽電池モジュールのマイナス極と前記共通配線のマイナス側の芯線を接続し、前記プラス極側の端子箱の外側に、前記プラス極側の芯線と前記マイナス極側の芯線に接続されたプラス極側のコネクタを接続し、前記マイナス極側の端子箱の外側に、前記プラス極側の芯線と前記マイナス極側の芯線に接続されたマイナス極側のコネクタを接続し、前記二つの端子箱の間を前記共通配線により接続した前記太陽電池モジュールの前記プラス極側のコネクタと前記マイナス極側のコネクタを極性が一致するように接続することで、前記太陽電池ストリングを形成し、前記太陽電池ストリングの一端側の前記プラス極側の端子あるいは前記コネクタのプラス極とアース線とを接続して、前記太陽電池ストリングの他端側の前記マイナス極側の端子あるいは前記コネクタのプラス極と前記アース線との間の導通を確認するとともに、前記太陽電池ストリングの一端側の前記プラス極側の端子あるいは前記コネクタのマイナス極と前記アース線とを接続して、前記太陽電池ストリングの他端側の前記マイナス極側の端子あるいは前記コネクタのマイナス極と前記アース線との間の導通を確認することにより、前記複数の太陽電池モジュールの並列接続の配線を確認することを特徴とする太陽電池ストリングの配線確認方法が提供される。
【００１５】
このような太陽電池ストリングの配線確認方法によれば、太陽電池ストリングの一端側のプラス極側の端子あるいはコネクタのプラス極とアース線とを接続して、太陽電池ストリングの他端側のマイナス極側の端子あるいはコネクタのプラス極とアース線との間の導通を確認するとともに、太陽電池ストリングの一端側のプラス極側の端子あるいはコネクタのマイナス極とアース線とを接続して、太陽電池ストリングの他端側のマイナス極側の端子あるいはコネクタのマイナス極とアース線との間の導通を確認することにより、複数の太陽電池モジュールの並列接続の配線を確認することができ、基準太陽電池モジュールを用いることなく、簡便かつ確実に太陽電池モジュールの並列接続を確認することができる。
【発明の効果】
【００１６】
本発明の太陽電池ストリング及びその配線確認方法は、太陽電池モジュールのプラス極から二つの電線路を引き出し、一方の電線路にプラス極側の第一の接続端子を接続し、もう一方の電線路にプラス極側の第二の接続端子を接続するとともに、マイナス極から二つの電線路を引き出し、一方の電線路にマイナス極側の第一の接続端子を接続し、もう一方の電線路にマイナス極側の第二の接続端子を接続し、プラス極側の第一の接続端子を隣接する太陽電池モジュールのプラス極側の第二の接続端子と接続し、マイナス極側の第一の接続端子を隣接する太陽電池モジュールのマイナス極側の第二の接続端子と接続して、太陽電池ストリングを形成している。
【００１７】
このため、太陽電池ストリングの一端側のプラス極側の第二の接続端子と他端側のプラス極側の第一の接続端子との間の導通、及び太陽電池ストリングの一端側のマイナス極側の第二の接続端子と他端側のマイナス極側の第一の接続端子との間の導通を確認することにより、複数の太陽電池モジュールの並列接続の配線を確認することができ、基準太陽電池モジュールを用いることなく、簡便かつ確実に太陽電池モジュールの並列接続を確認することができるという利点がある。
【００１８】
また、本発明の太陽電池ストリング及びその配線確認方法は、太陽電池モジュールにプラス極側とマイナス極側の二つの端子箱を設け、プラス極側の端子箱でプラス極と共通配線のプラス極側の芯線を接続し、マイナス極側の端子箱でマイナス極と共通配線のマイナス側の芯線を接続し、プラス極側の端子箱の外側に、プラス極側の芯線とマイナス極側の芯線に接続されたプラス極側のコネクタを接続し、マイナス極側の端子箱の外側に、プラス極側の芯線とマイナス極側の芯線に接続されたマイナス極側のコネクタを接続し、二つの端子箱の間を共通配線により接続した太陽電池モジュールのプラス極側のコネクタとマイナス極側のコネクタを極性が一致するように接続して、太陽電池ストリングを形成している。
【００１９】
このため、太陽電池ストリングの一端側のプラス極側のコネクタのプラス極と他端側のマイナス極側のコネクタのプラス極との間の導通、及び太陽電池ストリングの一端側のプラス極側のコネクタのマイナス極と他端側のマイナス極側のコネクタのマイナス極との間の導通を確認することにより、複数の太陽電池モジュールの並列接続の配線を確認することができ、基準太陽電池モジュールを用いることなく、簡便かつ確実に太陽電池モジュールの並列接続を確認することができるという利点がある。
【００２０】
また、本発明の太陽電池ストリング及びその配線確認方法は、太陽電池モジュールにプラス極側とマイナス極側の二つの端子箱を設け、プラス極側の端子箱でプラス極と共通配線のプラス極側の芯線を接続し、マイナス極側の端子箱でマイナス極と共通配線のマイナス側の芯線を接続し、プラス極側の端子箱の外側に、プラス極側の芯線とマイナス極側の芯線に接続されたプラス極側のコネクタを接続し、マイナス極側の端子箱の外側に、プラス極側の芯線とマイナス極側の芯線に接続されたマイナス極側のコネクタを接続し、二つの端子箱の間を共通配線により接続した太陽電池モジュールのプラス極側のコネクタとマイナス極側のコネクタを極性が一致するように接続することで、太陽電池ストリングを形成している。
【００２１】
このため、太陽電池ストリングの一端側のプラス極側の端子あるいはコネクタのプラス極とアース線とを接続して、太陽電池ストリングの他端側のマイナス極側の端子あるいはコネクタのプラス極と前記アース線との間の導通を確認するとともに、太陽電池ストリングの一端側のプラス極側の端子あるいは前記コネクタのマイナス極とアース線とを接続して、太陽電池ストリングの他端側のマイナス極側の端子あるいは前記コネクタのマイナス極と前記アース線との間の導通を確認することにより、複数の太陽電池モジュールの並列接続の配線を確認することができ、基準太陽電池モジュールを用いることなく、簡便かつ確実に太陽電池モジュールの並列接続を確認することができるという利点がある。
【発明を実施するための最良の形態】
【００２２】
以下、本発明の実施の形態を図面を参照して説明する。
図１は本発明の実施の形態１の構成を示す平面図であり、複数（ここでは３枚）の太陽電池モジュール１０，２０，３０を並列に接続した太陽電池ストリングの配線接続構成を示している。ここでは、太陽電池モジュール１０の構成について述べるが、他の太陽電池モジュール２０，３０の構成も同様である。
【００２３】
太陽電池モジュール１０にプラス極側端子箱１１とマイナス極側端子箱１２が設けられ、プラス極側端子箱１１のプラス極から配線材により二つの電線路１３ａ，１３ｂが引き出されている。１１ａはその接続部であり、一方の電線路１３ｂの先端にはプラス極側の第一の接続端子１５が接続され、もう一方の電線路１３ａの先端にはプラス極側の第二の接続端子１４が接続されている。同様に、マイナス極側端子箱１２のマイナス極から配線材により二つの電線路１６ａ，１６ｂが引き出されている。１２ａはその接続部であり、一方の電線路１６ｂの先端にはマイナス極側の第一の接続端子１８が接続され、もう一方の電線路１６ａの先端にはマイナス極側の第二の接続端子１７が接続されている。
【００２４】
そして、上記プラス極側の第一の接続端子１５が隣接する太陽電池モジュール２０のプラス極側の第二の接続端子と接続され、マイナス極側の第一の接続端子１８が隣接する太陽電池モジュール２０のマイナス極側の第二の接続端子と接続されることで、太陽電池ストリングが形成される。本実施の形態では３枚の太陽電池モジュール１０，２０，３０で太陽電池ストリングが形成されるが、太陽電池モジュールの枚数は、太陽電池アレイの構成で任意に選択される。
【００２５】
このような太陽電池ストリングの並列接続の配線確認は、太陽電池ストリングの一端側（図の左端の太陽電池モジュール１０）のプラス極側の第二の接続端子１４と他端側（図の右端の太陽電池モジュール３０）のプラス極側の第一の接続端子３５との間の導通をテスタ１００を用いて確認し、同様に太陽電池ストリングの一端側のマイナス極側の第二の接続端子１７と他端側のマイナス極側の第一の接続端子３８との間の導通をテスタ１００を用いて確認することにより行うことができる。このため、前述の基準太陽電池モジュールを用いることなく、簡便かつ確実に太陽電池モジュール１０，２０，３０の並列接続を確認することができる。
【００２６】
図２は本発明の実施の形態２の構成を示す平面図である。実施の形態１では、太陽電池モジュール１０，２０，３０の配線は１芯ケーブルを用いて行っているが、本実施の形態２では、２芯ケーブルを用いて配線を行っている。
【００２７】
実施の形態１と同様、太陽電池モジュール１０にプラス極側端子箱１１１とマイナス極側端子箱１１２の二つの端子箱が設けられ、プラス極側端子箱１１１で太陽電池モジュール１０のプラス極と２芯の共通配線のプラス極側芯線１１３ａ，１１３ｂが接続され、マイナス極側端子箱１１２で太陽電池モジュール１０のマイナス極と２芯の共通配線のマイナス側芯線１１７ｂ，１１７ｃが接続されている。１１１ａ，１１２ａはそれらの接続部である。また、プラス極側端子箱１１１の外側に、プラス極側芯線１１３ａとマイナス極側芯線１１７ａに接続されたプラス極側２芯コネクタ１１４が接続され、マイナス極側端子箱１１２の外側に、プラス極側芯線１１３ｃとマイナス極側芯線１１７ｃに接続されたマイナス極側２芯コネクタ１１５が接続されている。１１６ａ，１１６ｂ，１１６ｃはプラス極側芯線１１３ａ，１１３ｂ，１１３ｃとマイナス極側芯線１１７ａ，１１７ｂ，１１７ｃを内包した２芯ケーブルを示している。
【００２８】
そして、上記プラス極側端子箱１１１とマイナス極側端子箱１１２の間を２芯の共通配線により接続した太陽電池モジュール１０のプラス極側２芯コネクタ１１４とマイナス極側２芯コネクタ１１５が極性が一致するように接続されて、太陽電池ストリングが形成される。
【００２９】
このような太陽電池ストリングの並列接続の配線確認は、太陽電池ストリングの一端側のプラス極側２芯コネクタ１１４のプラス極と他端側のマイナス極側２芯コネクタ３１５のプラス極との間の導通、及び太陽電池ストリングの一端側のプラス極側２芯コネクタ１１４のマイナス極と他端側のマイナス極側２芯コネクタ３１５のマイナス極との間の導通を確認することにより行うことができる。このため、実施の形態１と同様、基準太陽電池モジュールを用いることなく、簡便かつ確実に太陽電池モジュール１０，２０，３０の並列接続を確認することができる。
【００３０】
図３は本実施の形態２の太陽電池モジュール１０の構成を示す斜視図であり、（ａ）は受光面側の外観を示し、（ｂ）は非受光面側の外観を示している。
図中、１２３は太陽電池モジュール１０の背面に設けられた補強材で、厚さ０．８ｍｍのガルバリウム鋼板が用いられ、その端部が折り曲げ加工されて、屋根材一体型の太陽電池モジュール１０となっている。１２４は太陽電池を保護するための養生シート、１２５はアモルファスシリコンよりなる光電変換領域で、エチレン−酢酸ビニル（ＥＶＡ）により封止され、鋼板に貼り付けられている。
【００３１】
太陽電池モジュール１０の背面には、上述のプラス極側端子箱１１１とマイナス極側端子箱１１２の二つの端子箱が設けられている。プラス極側端子箱１１１では、太陽電池モジュール１０のプラス極から引き出された引き出し線が接続部１１１ａで２芯ケーブル１１６ａ，１１６ｂ内のプラス極側芯線１１３ａ，１１３ｂと接続されている。ちなみに、プラス極側端子箱１１１の内部では、マイナス極側芯線１１７ａ，１１７ｂは太陽電池モジュール１０と接続されていない。また、太陽電池モジュール１０の外側に位置する２芯ケーブル１１６ａの先端には、プラス極側２芯コネクタ１１４が接続されている。
【００３２】
同様に、マイナス極側端子箱１１２では、太陽電池モジュール１０のマイナス極から引き出された引き出し線が接続部１１２ａで２芯ケーブル１１６ｂ，１１６ｃ内のマイナス極側芯線１１７ｂ，１１７ｃと接続されている。ちなみに、マイナス極側端子箱１１２の内部では、プラス極側芯線１１３ｂ，１１３ｃは太陽電池モジュール１０と接続されていない。また、太陽電池モジュール１０の外側に位置する２芯ケーブル１１６ｃの先端には、マイナス極側２芯コネクタ１１５が接続されている。
【００３３】
他の太陽電池モジュール２０，３０の構成も同様であるので、説明は省略する。
図４は本発明の実施の形態３の構成を示す平面図である。本実施の形態３は、基本的には実施の形態２と同様の配線であるが、２芯ケーブルではなく３芯ケーブルを用いている。３芯のうち２芯は実施の形態２と同様に太陽電池モジュール１０のプラス極側及びマイナス極側の配線に用いられ、残りの１芯はアース線１１８ａ，１１８ｂ，１１８ｃとして用いられる。このアース線１１８ａ，１１８ｂ，１１８ｃは、マイナス極側端子箱１１２の内部において接続部１１２ｂで太陽電池モジュール１０の背面材である鋼板と接続されている。
【００３４】
実施の形態２と同様、太陽電池モジュール１０にプラス極側端子箱１１１とマイナス極側端子箱１１２の二つの端子箱が設けられ、プラス極側端子箱１１１で太陽電池モジュール１０のプラス極と３芯の共通配線のプラス極側芯線１１３ａ，１１３ｂが接続され、マイナス極側端子箱１１２で太陽電池モジュール１０のマイナス極と３芯の共通配線のマイナス側芯線１１７ｂ，１１７ｃが接続されている。また、プラス極側端子箱１１１の外側に、プラス極側芯線１１３ａとマイナス極側芯線１１７ａに接続されたプラス極側３芯コネクタ１１９が接続され、マイナス極側端子箱１１２の外側に、プラス極側芯線１１３ｃとマイナス極側芯線１１７ｃに接続されたマイナス極側３芯コネクタ１２０が接続されている。１２１ａ，１２１ｂ，１２１ｃはプラス極側芯線１１３ａ，１１３ｂ，１１３ｃとマイナス極側芯線１１７ａ，１１７ｂ，１１７ｃ及びアース線１１８ａ，１１８ｂ，１１８ｃを内包した３芯ケーブルを示している。
【００３５】
そして、上記プラス極側端子箱１１１とマイナス極側端子箱１１２の間を３芯の共通配線により接続した太陽電池モジュール１０のプラス極側３芯コネクタ１１９とマイナス極側３芯コネクタ１２０が極性が一致するように接続されて、太陽電池ストリングが形成される。
【００３６】
このような太陽電池ストリングの並列接続の配線確認は、太陽電池ストリングの一端側のプラス極側の端子あるいはプラス極側３芯コネクタ１１９のプラス極とアース線１１８ａとを接続して、太陽電池ストリングの他端側のマイナス極側の端子あるいはマイナス極側３芯コネクタ３２０のプラス極とアース線３１８ｃとの間の導通をテスタ１００で確認するとともに、太陽電池ストリングの一端側のプラス極側の端子あるいはプラス極側３芯コネクタ１１９のマイナス極とアース線１１８ａとを接続線１２２により接続して、太陽電池ストリングの他端側のマイナス極側の端子あるいはマイナス極側３芯コネクタ３２０のマイナス極とアース線３１８ｃとの間の導通をテスタ１００で確認することにより行うことができる。
【００３７】
上記配線の接続が確認された後は、プラス極側３芯コネクタ１１９とマイナス極側３芯コネクタ１２０の各芯線は互いに接触しないように、また外部から水分やほこりなどが浸入しないようにプラグ等が取り付けられる。一方、反対側のプラス極側芯線３１３ｃ、マイナス極側芯線３１７ｃ及びアース線３１８ｃを接続した３芯コネクタ３２０は、接続箱内に設けられた所定の端子に接続され、太陽電池アレイの一つの太陽電池ストリングを形成することになる。
【００３８】
本実施の形態３では、太陽電池ストリングの両端に位置する並列配線を行っていない端子あるいはコネクタの間の導通を確認するために、太陽電池ストリングの全長に匹敵するような長いケーブルを用いる必要がなくなり、配線作業をより簡便に、より安全に行うことができる。
【００３９】
なお、以上の各実施の形態では、テスタ１００を用いて導通の確認を行っているが、導通の確認ができるものであれば何でも良く、例えば導通するとランプが点灯したり、ブザーが鳴ったりするような装置でも良い。
【図面の簡単な説明】
【００４０】
【図１】本発明の実施の形態１の構成を示す平面図である。
【図２】本発明の実施の形態２の構成を示す平面図である。
【図３】実施の形態２の太陽電池モジュールの構成を示す斜視図である。
【図４】本発明の実施の形態３の構成を示す平面図である。
【符号の説明】
【００４１】
１０，２０，３０  太陽電池モジュール
１１，１１１  プラス極側端子箱
１１ａ，１２ａ，１１１ａ，１１２ａ，１１２ｂ  接続部
１２，１１２  マイナス極側端子箱
１３ａ，１３ｂ，１６ａ，１６ｂ  電線路
１４，１７  第二の接続端子
１５，１８  第一の接続端子
１００  テスタ
１１３ａ，１１３ｂ，１１３ｃ  プラス極側芯線
１１４  プラス極側２芯コネクタ
１１５  マイナス極側２芯コネクタ
１１６ａ，１１６ｂ，１１６ｃ  ２芯ケーブル
１１７ａ，１１７ｂ，１１７ｃ  マイナス極側芯線
１１８ａ，１１８ｂ，１１８ｃ  アース線
１１９  プラス極側３芯コネクタ
１２０  マイナス極側３芯コネクタ
１２１ａ，１２１ｂ，１２１ｃ  ３芯ケーブル
１２２  接続線
【図１】
2006222169.tif 000003
【図２】
2006222169.tif 000004
【図３】
2006222169.tif 000005
【図４】
2006222169.tif 000006